(57)【要約】【課題】物流用の一般的なパレットを何十枚も段積みする際に、下部より指定枚数のパレットを投入・排出できる様にしたパレットの保管装置を提供する。本発明のパレットタワーにより、フォークリフトを使用しなくても人手やハンドリフトで指定枚数のパレットを簡単に投入・排出できる様になる。  又、本発明では何十枚も保管できる様になるので省スペースにもなる。【解決手段】パレット排出時は、パレットタワーに段積み保管されているパレットの下から数えて指定枚数を残し、その上のパレットを全て少し上昇させる。これによりパレットタワーの下部より指定枚数のパレットを簡単に取り出すことができる。  パレット投入時には、全てのパレットを指定枚数の高さ以上に上昇させることにより、パレットタワーの下部より指定枚数のパレットを簡単に入れ込むことができる。  本発明のパレットタワーは、下部より１枚から１０枚程度の指定枚数のパレットをハンドリフトを使って簡単に投入・排出できるのを特徴とする。【選択図】  図１
2008303020.tif 000002
【特許請求の範囲】
【請求項１】
一般のパレットの段積み保管においてパレット排出時は、排出の指定枚数を下側に残し、その上のパレットを全て少し上昇させることによりパレットタワーの下部より指定枚数のパレットを取り出すことができ、パレット投入時には、全てのパレットを指定枚数の高さ以上、上昇させることにより、パレットタワーの下部より指定枚数のパレットを入れることができる、段積み式パレット保管装置。
【請求項２】
一般のパレットの段積み保管において一定の高さの所にパレットのリフト用の穴に抜き差しできるツメ１と、下側にエレベータ４を持つ構造のパレットタワー。エレベータ４を昇降させることにより、パレットタワーの下部より指定枚数のパレットを投入・排出できる段積み式パレット保管装置。
【発明の詳細な説明】
【技術分野】
【０００１】
本発明は、物流によく用いられる一般のパレットの保管装置に関するものである。
【背景技術】
【０００２】
産業界では物流の為、一般のパレットを非常に多く使用している。その為、一定期間に使用するパレットを保管しておかなければならない。
【０００３】
現在パレットの保管は屋内外にかかわらず、上に何段も段積みされていることが多い。１０枚程度までは人手で重ねて、１０枚重ねた物の上にまた１０枚をフォークリフトを使って重ね、同様にして３０枚、４０枚と段積みする。
【０００４】
次にパレットを使う場合は、上から使う枚数分フォークリフトで降ろし、それを人手で一枚ずつに分けてから使う。
【０００５】
この方法では、パレットを上手に積み上げるフォークリフトの技術が必要で危険性もある。また、パレタイザー（パレットの上に自動で物品を乗せる機械）には、パレットをストックする機械が付属していることがあるが、パレットをパレタイザーに供給する目的である為、本発明とは形状や機構が異なる。
【特許文献１】特開２００６−１３１３５４
【特許文献２】特開平５−２０１５５４
【特許文献３】特開平５−２２９６１２
【発明の開示】
【発明が解決しようとする課題】
【０００６】
パレットを段積み保管する為に、パレットを下部から、必要な枚数をハンドリフト（ハンドパレットトラック）又は、人手で投入・排出できる装置を提供する。
【課題を解決するための手段】
【０００７】
パレットが何十枚も段積みされている状態において、必要とするパレット数を下に残し、その上のパレットを全て少し上昇させることによって、必要とするパレットを下部から排出することができる。
【０００８】
パレット投入の場合は、一番下のパレットから上の全てのパレットを、投入したいパレットの数より少し上まで上昇させる。これによって、パレットを指定枚数、下部から投入することができる。
【０００９】
上部より、パレットを投入・排出する場合はフォークリフトを使用し何枚でも投入・排出することができる。
【発明の効果】
【００１０】
本発明のパレットタワーは、パレットの段積み保管に際し、パレットの投入・排出を下部で行うことができる。これによってフォークリフトを使用しなくても、１・２枚であれば人手だけで、数枚以上であればハンドリフト（ハンドパレットトラック）でパレットの投入・排出をすることができる。
【００１１】
又、通常のパレットの段積み保管よりも多くのパレットを段積みできるので、省スペースである。フォークリフトを使用しなくても良いので危険性も少ない。パレットの投入・排出を一枚ずつでなく、指定枚数、下部からできるのを特徴とする。
【発明を実施するための最良の形態】
【００１２】
本発明の実施例を添付図面に基づいて詳細に説明する。
【実施例１】
【００１３】
図１はパレットタワーからパレットを５枚排出する際の斜視図である。まず、下から６枚目のパレットのリフト用穴にツメ１が入る高さにスライダー２を昇降させツメ１を入れる。このツメ１とスライダー２はパレットタワーの前後又は左右にあり、同期させて動かす。次に図２の様にツメ１をパレットのリフト用穴に入れたまま、スライダー２を少し上昇させると下の５枚のパレットのみ残されて、他の上のパレットは持ち上がる。この状態では、下の５枚のパレットには他のパレットの荷重がかかっていないのでハンドリフト等でパレットタワーの下部より簡単に取り出すことができる。
【００１４】
図３はパレットタワーにパレットを下部から８枚投入する際の斜視図である。まず１番下のパレットのリフト用穴にツメ１が入る高さにスライダー２を下降させ、ツメ１を入れる。次に図４の様に、下側にパレットが８枚入る高さまでスライダー２を上昇させる。ここにハンドリフト等でパレットを８枚入れることができる。
【００１５】
これまでに説明した排出時５枚、投入時８枚のパレット枚数は、１枚以上、１０枚程度まで変更指定でき、自動で動作する。最後に図５の待機位置に戻る。待機位置では、ツメ１はパレットから抜いておき、スライダー２が自由に昇降できる構造にしておく。
【００１６】
又、パレットをきれいに段積みする為にパレットガイド３を設けると良い。前面上部は、フォークリフト使用時に、じゃまになるので開閉式扉の様なパレットガイドが望ましい。本発明のパレットタワーはパレットの投入・排出を前面下部より行うことを特徴としている。後面も前面と同じにしておけば前面からも後面からも投入・排出できるパレットタワーとなる。
【実施例２】
【００１７】
図６の実施例は、薄板金製の、昇降するエレベータ４を有するパレットタワーで、パレット枚数で、下から１２枚目程度の所にパレットのリフト用穴に自動で抜き差しできるツメ１がパレットタワーの前後にある。エレベータ４はワイヤー５で吊るされており回転軸６によって昇降できる。
【００１８】
パレット投入時には図７の様に、エレベータ４の上に、１０枚以内の任意の枚数のパレットを置き、エレベータ４をツメ１の高さまで上昇させてからツメ１をパレットのリフト用の穴に入れる。これによりパレットを任意の数量パレットタワーの下部より投入することができる。上にストックされたパレットが何枚かある場合には、エレベータ上のパレットがストックされたパレットに触れたときに、ツメ１を抜くとストックされていたパレットと投入したパレットが一体となり、エレベータ４をツメ１の高さまで上昇させてからツメ１を、パレットのリフト用の穴に入れる。
【００１９】
パレット排出時には、図８の様にパレットの指定枚数、（図８では５枚）のすぐ上のパレットにツメ１がはいる様に、エレベータ４を上昇させ、ツメ１を下から６枚目のパレットのリフト用穴に差し込む。その後エレベータ４を下まで下降させると５枚のパレットがパレットタワーの下部より取り出せる。
【００２０】
実施例２では、ツメ１が下から１２枚目程度の所に設置されているのが特徴である。ツメ１がパレットタワーの前後各２カ所にあるが、パレット１０枚程度ごとに何カ所もついていると安全である。又、パレットガイド３はパレットのガイドであるが、エレベータ４のガイドとすることもできる。実施例２のエレベータ４の待機位置は、パレットの有無にかかわらず、図６の様な下端である。尚、ワイヤー５はコンベヤーチェーン等でも良く、エレベータ４をスムースに昇降させる為、回転軸６によって同期させる。
【産業上の利用可能性】
【００２１】
一般のパレットを大量に使用している所では、パレットを何枚も段積みして保管している。この場合、フォークリフトを使用しないと、数枚のパレットを投入・排出できない。本発明のパレットタワーは下側からパレットを指定枚数、投入・排出できるのでハンドリフトや人手だけで良い。フォークリフトを使うと危険性もあり維持費もかかる。
【００２２】
フォークリフトを使用せずに、パレットを段積み保管している所では１０段程度しか段積みしない。これは、上側から人手で、１・２枚投入・排出する為である。本発明のパレットタワーは下部からパレットを指定枚数、投入・排出できるのでパレットを何十枚も段積み保管できる。非常に省スペースである。
【００２３】
一般のパレットは、製造工場や物流倉庫で非常に多く使われているが、下側からパレットを指定枚数（可変）投入・排出できるパレット自身の保管装置はないので大いに役立つ。
【図面の簡単な説明】
【００２４】
【図１】パレットタワーからパレットを排出する際の斜視図である。（実施例１）
【図２】パレットタワーからパレットを排出できる状態の斜視図である。（実施例１）
【図３】パレットタワーにパレットを投入する際の斜視図である。（実施例１）
【図４】パレットタワーにパレットを投入できる状態の斜視図である。（実施例１）
【図５】パレットタワーを使用していない時の待機状態を示した斜視図である。（実施例１）
【図６】エレベータ仕様のパレットタワーの斜視図である。本図は待機位置を示す。（実施例２）
【図７】パレットタワーにパレットを８枚投入した時の斜視図である。（実施例２）
【図８】パレットタワーからパレットを５枚排出する時の斜視図である。（実施例２）
【符号の説明】
【００２５】
１    ツメ
２    スライダー
３    パレットガイド
４    エレベータ
５    ワイヤー
６    回転軸
【図１】
2008303020.tif 000003
【図２】
2008303020.tif 000004
【図３】
2008303020.tif 000005
【図４】
2008303020.tif 000006
【図５】
2008303020.tif 000007
【図６】
2008303020.tif 000008
【図７】
2008303020.tif 000009
【図８】
2008303020.tif 000010